(57)【特許請求の範囲】
【請求項１】
ＦＭ変調波信号に重畳されたパイロット信号を分離抽出するパイロット信号抽出回路において、
前記パイロット信号が重畳された前記ＦＭ変調波信号が入力され、この中に含まれる前記パイロット信号を除去するパイロット信号除去手段と、
前記パイロット信号除去手段によって前記パイロット信号が除去される前後の信号の差分を出力するアナログ減算手段と、
前記アナログ減算手段の出力信号を増幅する増幅器と、
前記増幅器によって増幅された信号の電圧と所定の閾値電圧とを比較する電圧比較器と、
を備え、前記パイロット信号除去手段は、前記パイロット信号に対応する周波数成分のみを除去するバンドエリミネーションフィルタであることを特徴とするパイロット信号抽出回路。
【発明の詳細な説明】
【０００１】
【発明の属する技術分野】
本発明は、ＦＭ検波された後のコンポジット信号に含まれるパイロット信号を分離抽出するパイロット信号抽出回路に関する。
【０００２】
【従来の技術】
ＦＭ受信機は、ＦＭ検波された後のステレオ複合信号からＬ信号およびＲ信号を再生するＦＭ復調回路を有している。このＦＭ復調回路は、マトリックス方式とスイッチング方式に大別されるが、いずれの方式においてもステレオ複合信号に重畳されたパイロット信号を用いてＬ信号とＲ信号の抽出を行っている点で共通している。
【０００３】
【発明が解決しようとする課題】
ところで、上述したパイロット信号は非常に微弱であるとともに、それ以外の成分による電圧変動があるため、単純に所定の閾値電圧と比較しただけでは、このパイロット信号を抽出することは困難である。このため、ＰＬＬ（位相同期ループ）回路を用いてこの微弱なパイロット信号に同期した信号を生成する必要があり、構成の複雑化を招くという問題があった。
【０００４】
本発明は、このような点に鑑みて創作されたものであり、その目的は、簡単な構成でパイロット信号を抽出することができるパイロット信号抽出回路を提供することにある。
【０００５】
【課題を解決するための手段】
上述した課題を解決するために、本発明のパイロット信号抽出回路は、ＦＭ変調波信号に重畳されたパイロット信号を分離抽出するために、パイロット信号が重畳されたＦＭ変調波信号が入力されてこの中に含まれるパイロット信号を除去するパイロット信号除去手段と、パイロット信号除去手段によってパイロット信号が除去される前後の信号の差分を出力するアナログ減算手段とを備えている。パイロット信号を除去する前後の信号の差分を出力するという簡単な構成によって、パイロット信号以外の電圧変動等の影響を取り除いて、パイロット信号のみを抽出することが可能になる。
【０００６】
また、上述したパイロット信号除去手段は、パイロット信号に対応する周波数成分のみを除去するバンドエリミネーションフィルタであることが望ましい。バンドエリミネーションフィルタを通した信号を観察すると、阻止域であるパイロット信号の周波数近傍で位相が大きく変化するが、このフィルタを通す前後の信号の差分を求める場合には、このフィルタを通す前の信号に含まれるパイロット信号のみが出力されることになるため、位相が変化していないパイロット信号を抽出することができる。特に、バンドパスフィルタを用いてパイロット信号のみを抽出しようとすると、このフィルタの通過域において、すなわち通過させたいパイロット信号の周波数近傍において大きく位相が変化してしまい、位相を調整する構成が必要になるが、本発明のパイロット信号抽出回路ではこのような調整を行うための構成が不要であり、構成の簡略化が可能になる。
【０００７】
また、上述したアナログ減算手段の出力信号を増幅する増幅器と、増幅器によって増幅された信号の電圧と所定の閾値電圧とを比較する電圧比較器とをさらに備えることが望ましい。パイロット信号以外の電圧変動等の影響を取り除くとともに、位相変化のないパイロット信号を抽出することができるため、さらに増幅器と電圧比較器を追加した簡単な構成によって、パイロット信号に同期したパルス信号を生成することが可能になる。
【０００８】
【発明の実施の形態】
以下、本発明を適用した一実施形態のパイロット信号抽出回路について詳細に説明する。
図１は、本実施形態のパイロット信号抽出回路を含むＦＭ受信機の構成を示す図である。図１に示すＦＭ受信機は、高周波増幅回路１１、混合回路１２、局部発振器１３、中間周波フィルタ１４、１６、中間周波増幅回路１５、リミット回路１７、ＦＭ検波回路１８、ステレオ復調回路１９を含んで構成されている。
【０００９】
アンテナ２０によって受信したＦＭ変調波信号を高周波増幅回路１１によって増幅した後、局部発振器１３から出力される局部発振信号を混合することにより、高周波信号から中間周波信号への変換を行う。中間周波フィルタ１４、１６は、中間周波増幅回路１５の前段および後段に設けられており、入力される中間周波信号から所定の帯域成分のみを抽出する。中間周波増幅回路１５は、中間周波フィルタ１４、１６を通過する一部の中間周波信号を増幅する。
【００１０】
リミット回路１７は、入力される中間周波信号を高利得で増幅する。ＦＭ検波回路１８は、リミット回路１７から出力される振幅一定の信号に対してＦＭ検波処理を行う。ステレオ復調回路１９は、ＦＭ検波回路１８から出力されるＦＭ検波後のステレオ複合信号に対してステレオ復調処理を行って、Ｌ信号およびＲ信号を生成する。
【００１１】
図２は、ステレオ復調回路１９の詳細な構成を示す図であり、例えばスイッチング方式を採用した場合の概略的な構成が示されている。図２に示すように、ステレオ復調回路１９は、増幅器２１、パイロット信号抽出回路２２、逓倍回路２３、スイッチング部２４を含んで構成されている。
【００１２】
増幅器２１は、前段のＦＭ検波回路１８から入力されるステレオ複合信号（コンポジット信号）を増幅する。パイロット信号抽出回路２２は、このステレオ複合信号に重畳された１９ｋＨｚのパイロット信号を分離抽出する。
逓倍回路２３は、パイロット信号に同期するとともに２倍の周波数を有する３８ｋＨｚの信号を生成する。スイッチング部２４は、増幅器２１から入力される増幅後のステレオ複合信号に対して、逓倍回路２３から出力される３８ｋＨｚの信号に同期したスイッチング動作を行うことにより、ステレオ複合信号に含まれているＬ信号とＲ信号を分離する。
【００１３】
図３は、パイロット信号抽出回路２２の詳細な構成を示す図である。図３に示すように、パイロット信号抽出回路２２は、バンドエリミネーションフィルタ（ＢＥＦ）３０、アナログ減算器３１、増幅器３２、電圧比較器３３を含んで構成されている。
【００１４】
バンドエリミネーションフィルタ３０は、パイロット信号に対応する１９ｋＨｚ近傍の周波数成分のみを除去し、それ以外の周波数成分を通過させる。このバンドエリミネーションフィルタ３０がパイロット信号除去手段に対応している。アナログ減算器３１は、ＦＭ検波回路１８から入力されたステレオ複合信号と、バンドエリミネーションフィルタ３０を通すことによってこのステレオ複合信号からパイロット信号を除去した信号とが入力されており、これら２種類の信号の差分電圧を出力する。このアナログ減算器３１がアナログ減算手段に対応している。
【００１５】
増幅器３２は、アナログ減算器３１の出力電圧を増幅する。電圧比較器３３は、増幅器３２の出力電圧を所定の閾値電圧Ｖref と比較し、この出力電圧が閾値電圧Ｖref 以上のときに出力をハイレベルにする。
図４は、本実施形態のパイロット信号抽出回路２２の各部の入出力波形を示す図である。図４（Ａ）には、バンドエリミネーションフィルタ３０およびアナログ減算器３１のそれぞれに入力されるステレオ複合信号の波形が示されている。また、図４（Ｂ）にはバンドエリミネーションフィルタ３０の出力信号の波形が示されている。図４（Ｃ）には、アナログ減算器３１の出力信号の波形が示されている。
【００１６】
アナログ減算器３１の２つの入力端子には、パイロット信号除去前のステレオ複合信号（図４（Ａ））とパイロット信号除去後のステレオ複合信号（図４（Ｂ））とが入力されている。したがって、アナログ減算器３１は、これら２つの入力信号の差分電圧を出力することにより、パイロット信号のみを抽出することができる（図４（Ｃ））。このようにして抽出されたパイロット信号は、それ以外の周波数成分による電圧変動等の影響を受けないため、後段の増幅器３２によって電圧レベルを増幅した後、電圧比較器３３によって所定の閾値電圧Ｖref と比較することにより、容易にパイロット信号に同期したパルス信号を生成することが可能になる。
【００１７】
このように、本実施形態のパイロット信号抽出回路２２では、パイロット信号を除去する前後のステレオ複合信号の差分電圧を出力するために必要な簡単な構成によって、パイロット信号以外の電圧変動等の影響を取り除いて、パイロット信号のみを抽出することが可能になる。このため、従来のようにＰＬＬ回路を用いる場合などに比べて構成の簡略化が可能になる。
【００１８】
また、バンドエリミネーションフィルタ３０を通した信号を観察すると、阻止域であるパイロット信号の周波数近傍で位相が大きく変化するが、このフィルタを通す前後の信号の差分を求める場合には、このフィルタを通す前の信号に含まれるパイロット信号のみが出力されることになるため、位相が変化していないパイロット信号を抽出することができる。特に、バンドパスフィルタを用いてパイロット信号のみを抽出しようとすると、このフィルタの通過域において、すなわち通過させたいパイロット信号の周波数近傍において大きく位相が変化してしまい、位相を調整する構成が必要になるが、本実施形態のパイロット信号抽出回路ではこのような調整を行うための構成が不要であり、さらなる構成の簡略化が可能になる。
【００１９】
また、アナログ減算器３１からは、パイロット信号以外の電圧変動等の影響を取り除くとともに、位相変化のないパイロット信号を出力することができるため、さらに増幅器３２と電圧比較器３３を追加した簡単な構成によって、パイロット信号に同期したパルス信号を生成することが可能になる。
【００２０】
【発明の効果】
上述したように、本発明によれば、パイロット信号を除去する前後の信号の差分を出力するという簡単な構成によって、パイロット信号以外の電圧変動等の影響を取り除いて、パイロット信号のみを抽出することが可能になる。
【図面の簡単な説明】
【図１】一実施形態のパイロット信号抽出回路を含むＦＭ受信機の構成を示す図である。
【図２】ステレオ復調回路の詳細な構成を示す図である。
【図３】パイロット信号抽出回路の詳細な構成を示す図である。
【図４】パイロット信号抽出回路の各部の入出力波形を示す図である。
【符号の説明】
１８  ＦＭ検波回路
１９  ステレオ復調回路
２１、３２  増幅器
２２  パイロット信号抽出回路
２３  逓倍回路
２４  スイッチング部
３０  バンドエリミネーションフィルタ（ＢＥＦ）
３１  アナログ減算器
３３  電圧比較器
【図１】
0004455785.tif 000002
【図２】
0004455785.tif 000003
【図３】
0004455785.tif 000004
【図４】
0004455785.tif 000005